(57)【要約】【課題】化石燃料使用量の削減及び二酸化炭素排出量の削減をクリーニング工場全体において複合的に行うクリーニング工場用排熱回収システムを提供することを目的とする。【解決手段】蒸気を生成するボイラと、前記ボイラで生成した蒸気を利用して洗濯を行う洗濯機と、前記ボイラで生成した蒸気を利用して乾燥を行う乾燥機と、前記洗濯機の排水と前記乾燥機の排気とに含まれる排熱を採取し、この採取した排熱を利用して、前記洗濯機への給水を加温し且つ前記乾燥機への給気を加温するヒートポンプと、を備えたクリーニング工場用排熱回収システムである。【選択図】図１
2011149562.tif 000002
【特許請求の範囲】
【請求項１】
蒸気を生成するボイラと、
前記ボイラで生成した蒸気を利用して洗濯を行う洗濯機と、
前記ボイラで生成した蒸気を利用して乾燥を行う乾燥機と、
前記洗濯機の排水と前記乾燥機の排気とに含まれる排熱を採取し、この採取した排熱を利用して、前記洗濯機への給水を加温し且つ前記乾燥機への給気を加温するヒートポンプと、
を備えたことを特徴とするクリーニング工場用排熱回収システム。
【請求項２】
前記ヒートポンプは、さらに、クリーニング工場内の空気に含まれる排熱を採取し、この採取した排熱を利用して、前記洗濯機への給水を加温し且つ前記乾燥機への給気を加温することを特徴とする請求項１に記載のクリーニング工場用排熱回収システム。
【発明の詳細な説明】
【技術分野】
【０００１】
本発明は、排熱回収システムに関し、特に、クリーニング工場用の排熱回収システムに関する。
【背景技術】
【０００２】
クリーニング工場では、タオルやシーツなどが、洗濯機により温水で洗濯され、乾燥機により高温空気で乾燥される。洗濯機への温水供給や乾燥機へ供給される空気の加温には、ボイラからの蒸気が利用される（特許文献１参照）。
【０００３】
しかるところ、ボイラからの蒸気は、化石燃料（重油など）を燃焼させて生成される。
【０００４】
このため、近年は、クリーニング工場において、化石燃料使用量の削減及び二酸化炭素排出量の削減が試みられている。
【先行技術文献】
【特許文献】
【０００５】
【特許文献１】特開平８−２４７４０６号公報
【特許文献２】特開２００４−８１７１８号公報
【特許文献３】特開２００７−１９０２４９号公報
【特許文献４】特開２００７−２７８５７５号公報
【発明の概要】
【発明が解決しようとする課題】
【０００６】
しかしながら、上記削減は、従来、洗濯機や乾燥機などの各機器単位で単一的になされており、クリーニング工場全体において複合的になされたものではなかった。
【０００７】
そこで、本発明は、化石燃料使用量の削減及び二酸化炭素排出量の削減をクリーニング工場全体において複合的に行うクリーニング工場用排熱回収システムを提供することを目的とする。
【課題を解決するための手段】
【０００８】
本発明によれば、上記課題は、次の手段により解決される。
【０００９】
本発明は、蒸気を生成するボイラと、前記ボイラで生成した蒸気を利用して洗濯を行う洗濯機と、前記ボイラで生成した蒸気を利用して乾燥を行う乾燥機と、前記洗濯機の排水と前記乾燥機の排気とに含まれる排熱を採取し、この採取した排熱を利用して、前記洗濯機への給水を加温し且つ前記乾燥機への給気を加温するヒートポンプと、を備えたことを特徴とするクリーニング工場用排熱回収システムである。
【００１０】
また、本発明は、前記ヒートポンプは、さらに、クリーニング工場内の空気に含まれる排熱を採取し、この採取した排熱を利用して、前記洗濯機への給水を加温し且つ前記乾燥機への給気を加温することを特徴とするクリーニング工場用排熱回収システムである。
【発明の効果】
【００１１】
本発明によれば、化石燃料使用量の削減及び二酸化炭素排出量の削減をクリーニング工場全体において複合的に行うクリーニング工場用排熱回収システムを提供できる。
【図面の簡単な説明】
【００１２】
【図１】本発明の実施形態に係るクリーニング工場用排熱回収システムの概略構成を示す図である。
【発明を実施するための形態】
【００１３】
以下に、添付した図面を参照しつつ、本発明を実施するための形態を詳細に説明する。
【００１４】
図１は、本発明の実施形態に係るクリーニング工場用排熱回収システムの概略構成を示す図である。図１中、実線は水又は空気の移動を示し、破線は熱の移動を示す。
【００１５】
図１に示すように、本発明の実施形態に係るクリーニング工場用排熱回収システム１は、ボイラ１０と洗濯機２０と乾燥機３０とヒートポンプ４０と熱交換用空気通路５０とを備えている。
【００１６】
［ボイラ１０］
ボイラ１０は、化石燃料（重油など）を燃焼させて蒸気を生成する。
【００１７】
［洗濯機２０］
洗濯機２０は、ボイラ１０で生成した蒸気を利用して洗濯を行う。より具体的に説明すると、洗濯機２０へは、ボイラ１０で生成した蒸気と洗濯機２０への給水とが供給される。洗濯機２０は、この蒸気と給水とを用いて洗濯を行う。
【００１８】
［乾燥機３０］
乾燥機３０は、ボイラ１０で生成した蒸気を利用して乾燥を行う。より具体的に説明すると、乾燥機３０への給気が、ボイラ１０で生成した蒸気により加温されて、乾燥機３０へ供給される。乾燥機３０は、この蒸気により加温された給気を用いて乾燥を行う。
【００１９】
なお、乾燥機３０の排気は、大量の排熱を含んでおり、乾燥機３０への給気よりも高温である。そこで、本発明の実施形態に係るクリーニング工場用排熱回収システム１は、乾燥機３０の排気と乾燥機３０への給気とを熱交換させることにより、乾燥機３０への給気を加温する。
【００２０】
［ヒートポンプ４０］
ヒートポンプ４０は、洗濯機２０の排水と乾燥機３０の排気とに含まれる排熱を採取し、この採取した排熱を利用して、洗濯機２０への給水を加温し且つ乾燥機３０への給気を加温する。
【００２１】
より具体的に説明すると、ヒートポンプ４０は、凝縮器、蒸発器、圧縮機、膨張弁、及び冷媒を備えており、洗濯機２０の排水と乾燥機３０の排気とに含まれる排熱は、蒸発器から冷媒に取り込まれる。
【００２２】
次いで、排熱を取り込んだヒートポンプ４０の冷媒は、圧縮機により圧縮される。そして、高温となった冷媒に取り込まれている排熱は、凝縮器から、洗濯機２０への給水及び乾燥機３０への給気に放出される。
【００２３】
排熱を放出した冷媒は、その後、膨張弁により膨張され、低温化される。そして、蒸発器から低温化された冷媒に排熱が再び取り込まれる。
【００２４】
なお、クリーニング工場に設置された各機器やクリーニング工場で働く者などから排出された熱は、特に利用されることなく排熱として、クリーニング工場内の空気に廃棄されている。
【００２５】
そこで、本発明の実施形態に係るクリーニング工場用排熱回収システム１においては、ヒートポンプ４０が、さらに、クリーニング工場内の空気に含まれる排熱を採取し、この採取した排熱を利用して、洗濯機２０への給水を加温し且つ乾燥機３０への給気を加温する。
【００２６】
なお、本発明の実施形態に係るクリーニング工場用排熱回収システム１は、クリーニング工場内に熱交換用空気通路５０を設置して、クリーニング工場内の空気が当該設置した熱交換用空気通路５０を通過するようにする（クリーニング工場内の空気は、熱交換用空気通路５０に吸い込まれた後、熱交換用空気通路５０から吹き出される）。
【００２７】
そして、この熱交換用空気通路５０を通過中の空気から排熱を採取することにより、クリーニング工場内の空気に含まれる排熱を採取する。
【００２８】
＜化石燃料使用量の削減及び二酸化炭素排出量の削減をクリーニング工場全体において複合的に行う＞
このように、本発明の実施形態に係るクリーニング工場用排熱回収システム１によれば、化石燃料使用量の削減及び二酸化炭素排出量の削減をクリーニング工場全体において複合的に行うことができる。
【００２９】
すなわち、従来、クリーニング工場においては、洗濯機２０からは高温の排水が大量に廃棄され、乾燥機３０からは高温の排気が大量に廃棄されていた。
【００３０】
しかしながら、本発明の実施形態に係るクリーニング工場用排熱回収システム１は、これら排水及び排気に含まれる排熱をヒートポンプ４０により複合的に回収し、洗濯機２０への給水加温、乾燥機３０への給気加温、及びクリーニング工場内の冷房などへと再利用する。
【００３１】
したがって、本発明の実施形態に係るクリーニング工場用排熱回収システム１によれば、これまで廃棄されていた洗濯機２０からの排水や乾燥機３０からの排気に含まれている排熱が有効に活用されることとなり、化石燃料使用量及び二酸化炭素排出量をより一層削減することが可能となる。
【００３２】
＜工場周辺の排水・排気環境の改善にも寄与＞
また、クリーニング工場から高温の排水・排気が排出されると、工場周辺に生息する植物や動物などに影響を与え、工場周辺の環境が害される。
【００３３】
しかしながら、本発明の実施形態に係るクリーニング工場用排熱回収システム１によれば、洗濯機２０の排水・乾燥機３０の排気が、排熱を採取されて低温化されるため、工場周辺の排水・排気環境の改善にも寄与することができる。
【００３４】
＜ヒートポンプの導入費用や設置スペースを抑制＞
また、本発明の実施形態に係るクリーニング工場用排熱回収システム１は、１つのヒートポンプ４０で洗濯機２０の排水（水熱源）と乾燥機３０の排気（空気熱源）とを同時に利用するものである。
【００３５】
したがって、本発明の実施形態に係るクリーニング工場用排熱回収システム１によれば、ヒートポンプの導入費用や設置スペースを抑えることができる。
【００３６】
＜導入費用の低減、既存設備の廃棄に伴う間接的な二酸化炭素排出量の低減＞
また、本発明の実施形態に係るクリーニング工場用排熱回収システム１は、クリーニング工場の既存設備（ボイラ１０、洗濯機２０、乾燥機３０）を取り替えることなく、これらの既存設備に附帯設置することができる。
【００３７】
したがって、本発明の実施形態に係るクリーニング工場用排熱回収システム１によれば、導入費用を低減させることができ、また、既存設備の廃棄に伴う間接的な二酸化炭素排出量も低減することができる。
【００３８】
＜クリーニング工場の排熱を回収して冷房を行う＞
また、本発明の実施形態に係るクリーニング工場用排熱回収システム１は、ヒートポンプ４０が、クリーニング工場内の空気に含まれる排熱を採取し、この採取した排熱を利用して、洗濯機２０への給水を加温し且つ乾燥機３０への給気を加温する。
【００３９】
したがって、本発明の実施形態に係るクリーニング工場用排熱回収システム１によれば、夏期において、クリーニング工場内の冷房を低コストで提供することが可能となり、更なるコストダウンと労働環境の改善に寄与することができる。
【００４０】
以上、本発明の実施形態について説明したが、これらの説明は、本発明の一例に関するものであり、本発明は、これらの説明によって何ら限定されるものではない。
【符号の説明】
【００４１】
１    クリーニング工場用排熱回収システム
１０    ボイラ
２０    洗濯機
３０    乾燥機
４０    ヒートポンプ
５０    熱交換用空気通路
実線    水又は空気の移動
破線    熱の移動
【図１】
2011149562.tif 000003